(57)【要約】【課題】ピニオン・ラック機構を利用した独楽の改良。【解決手段】底部の外面中央に突起部を設けまた同底部の内面中央に凹状の軸受孔を設け更に外周壁に多数個の孔を開設して多方向配置に位置する柱部を形成した、皿形状を呈する上下一対の半割体の開口縁面を突き合せ状態に止着することにより構成した独楽本体と、上下両面にピニオンを設けまた当該ピニオンの外端面に回転支軸を設けた構成であって、回転支軸の先端を上記上下各半割体に設けた軸受孔に回転自在に嵌着した状態で上記独楽本体に装入した回転体と、上記ピニオンと噛合自在の歯を備えた構成であって、その先端を上記柱部の間の孔の一つに挿し込んだときには、その歯が上記ピニオンに噛合してから他の柱部間を経て反対側に貫出するようにしたラックベルトと、から成るものである。【選択図】　　　　図１
2004041360.tif 000002
【特許請求の範囲】
【請求項１】
底部の外面中央に突起部を設けまた同底部の内面中央に凹状の軸受孔を設け更に外周壁に多数個の孔を開設して多方向配置に位置する柱部を形成した、皿形状を呈する上下一対の半割体の開口縁面を突き合せ状態に止着することにより構成した独楽本体と、　上下両面にピニオンを設けまた当該ピニオンの外端面に回転支軸を設けた構成であって、回転支軸の先端を上記上下各半割体に設けた軸受孔に回転自在に嵌着した状態で上記独楽本体に装入した回転体と、　上記ピニオンと噛合自在の歯を備えた構成であって、その先端を上記柱部の間の孔の一つに挿し込んだときには、その歯が上記ピニオンに噛合してから他の柱部間を経て反対側に貫出するようにしたラックベルトと、から成る独楽。
【請求項２】
回転支軸の先端受部をピボット軸受構造としたことを特徴とする請求項１記載の独楽。
【発明の詳細な説明】
【０００１】
【発明が属する技術分野】
本発明は、ピニオン・ラック機構を利用した独楽の改良に関する。
【０００２】
【従来の技術】
従来知られているこの種の独楽は、独楽本体および回転体が上半分と下半分が対称の構成になっていないこともあって次のような問題点を有していた。
【０００３】
▲１▼　必要な全パーツを製造するための金型の員数が多くコストが割高になっていた。
▲２▼　必要な全パーツを構成する金型の員数が多くその管理が大変であった。
▲３▼　組立にくい。
▲４▼　組立の場合に間違いを起こし易い。
▲５▼　ラックベルトの差込操作に難がある。
【０００４】
【発明が解決しようとする課題】
本発明は、上記現況に鑑み、上記諸問題点を解消するための工夫を施した新規の独楽を提供することを目的とするものである。
【０００５】
【課題を解決するための手段】
上記目的を達成するために本発明に係る独楽は、底部の外面中央に突起部を設けまた同底部の内面中央に凹状の軸受孔を設け更に外周壁に多数個の孔を開設して多方向配置に位置する柱部を形成した、皿形状を呈する上下一対の半割体の開口縁面を突き合せ状態に止着することにより構成した独楽本体と、上下両面にピニオンを設けまた当該ピニオンの外端面に回転支軸を設けた構成であって、回転支軸の先端を上記上下各半割体に設けた軸受孔に回転自在に嵌着した状態で上記独楽本体に装入した回転体と、上記ピニオンと噛合自在の歯を備えた構成であって、その先端を上記柱部の間の孔の一つに挿し込んだときには、その歯が上記ピニオンに噛合してから他の柱部間を経て反対側に貫出するようにしたラックベルトと、から成るものである。
【０００６】
そして、回転支軸の先端受部をピボット軸受構造としたものである。
【０００７】
【実施例】
図に示す実施例は、底部１の外面中央に突起部２を設けまた同底部１の内面中央に凹状の軸受孔３を設け更に外周壁４に複数個の孔５を開設して前後左右配置に位置する柱部６・・・を形成した、皿形状を呈する上下一対の半割体７をプラスチック材料により構成し、完成時にはこれ等上下各半割体７の開口縁面を突き合せ状態に止着して独楽本体９とするようにする。なお、図中符号１０、１１は対称配置で設けた嵌合ピンおよび嵌合孔である。
【０００８】
また、上記上下各半割体７とは別個に、上下両面にピニオン１２、１３を設けまた当該ピニオン１２、１３の外端面に回転支軸１４、１５を設けた回転体１６を比重の大きいダイキャスト等金属材料により構成する。
【０００９】
この回転体１６の回転支軸１４、１５の先端を上記上下各半割体７に設けた軸受孔３、３に回転自在に嵌着した状態で上記独楽本体９の完成を完了する。
【００１０】
なお、回転支軸１１、１２は、回転をよくするためにピボット軸受構造としてある。
【００１１】
また、これ等上下各半割体７、回転体１６とは別個に、持ち易くするためのハンドル部１８を一端に有する、上記ピニオン１２、１３と噛合自在の歯１９を備えたラックベルト２０をプラスチックにより構成する。
【００１２】
このラックベルト２０は、その先端を上記前後左右配置に位置する柱部６・・・の間の孔５の一つに挿し込んだときには、その歯１９が上記ピニオン１２、１３に択一に噛合してから他の柱部６・・・間を経て反対側に貫出するようにしてあるものである。
【００１３】
また、図中符号２２は、飾りとして、遊戯性を高めるものとして設けたフィギュア（紙製、成形製の）である。本発明はこれを設けないでも実施できる。
【００１４】
【作用】
つまり、組立は、二つの半割体７、７における軸受孔３、３に回転体１６における回転支軸１４，１５の先端を嵌め乍ら上下半割体７、７を合体させる等のような要領で簡単に行うことができるものである。
【００１５】
【発明の効果】
本発明は、上記のような構成であるので、結果として一種類の半割体の二つと上下反転した状態で使用のできる回転体１６の一つとで、ラックベルト２０の差し通し口（符号５）の多数個を有する完成品を容易に提供できるものであって、必要な全パーツを製造するための金型の員数を少なくでき、低コスト化、金型管理の容易化等に極めて好都合なものであるのみならずパーツの種類が少なく、組立の簡略化、組立ミスの少減化等の達成を可能にするものである。
【００１６】
しかもに、ラックベルト２０の差し通し口（符号５）の多数個を有した完成品、具体的に上記実施例のような上の四方向、下の四方向の計８方向からラックベルト２０を差し通せるような完成品を確実且つ容易に提供できる利点を有しているものである。
【００１７】
また、回転支軸の先端受部をピボット軸受構造としてあるので、回転の持続性がよく、回転音も小さいというような優れた効果を有するものである。
【図面の簡単な説明】
【図１】本発明の実施例を示す全体の平面図である。
【図２】同じく正面図である
【図３】同じく側面図である
【図４】半割体を示す斜視図である。
【図５】回転体を示す平面図である。
【図６】同じく正面図である。
【図７】ラックベルトを示す斜視図である。
【符号の説明】
１　底部
２　突起部
３　軸受孔
４　外周壁
５　孔
６　柱部
７　半割体
９　独楽本体
１０　嵌合ピン
１１　嵌合孔
１２　ピニオン
１３　ピニオン
１４　回転支軸
１５　回転支軸
１６　回転体
１８　ハンドル部
１９　歯
２０　ラックベルト
２２　フィギュア
【図１】
2004041360.tif 000003
【図２】
2004041360.tif 000004
【図３】
2004041360.tif 000005
【図４】
2004041360.tif 000006
【図５】
2004041360.tif 000007
【図６】
2004041360.tif 000008
【図７】
2004041360.tif 000009